(57)【要約】【課題】二つの部材を結合した際の、一方の部材に対する他方の部材の傾き調整を精度よく無段階で可能とする。【解決手段】光学レンズ１ａを有するレンズユニット１と、撮像素子４を囲むように配置されるセンサープレート５の実装構造であって、レンズユニット１の光学レンズ１ａの周囲に、ネジ込まれて先端が突出する調整ネジ部材１１が備えられている。その調整ネジ部材１１の先端には、センサープレート５の取付孔５ａから固定ネジ９をネジ込むための雌ネジ部１１ａが形成されている。そして、調整ネジ部材１１の外周には、タッピング雄ネジ部１１ｃが形成されている。さらに、調整ネジ部材１１の先端と反対側端には、回転操作部材が係合する係合部１１ｅが形成されている。また、調整ネジ部材１１の先端は、周囲が面取り加工による先細りテーパー形状の傾斜面１１ｄに形成されている。【選択図】図５
2017044936.tif 000002
【特許請求の範囲】
【請求項１】
外周に形成される雄ネジ部と、
一端側に形成される雌ネジ部と、
他端側に形成され、回転操作部材が係合する係合部と、を備えることを特徴とする調整ネジ部材。
【請求項２】
前記雄ネジ部は、タッピングネジであることを特徴とする請求項１に記載の調整ネジ部材。
【請求項３】
前記雌ネジ部側の端部周囲が面取り加工されていることを特徴とする請求項１または２に記載の調整ネジ部材。
【請求項４】
二部材を結合する構造であって、
前記二部材の一方の部材は、調整ネジ部材をネジ込むための組込孔を備え、前記調整ネジ部材が前記組込孔に組み込まれた状態において当該調整ネジ部材の先端が突出し、
前記二部材の他方の部材は、固定ネジを取り付けるための取付孔を備え、
前記調整ネジ部材の先端には、前記二部材の他方の部材の前記取付孔から前記固定ネジをネジ込むための雌ネジ部が形成されていることを特徴とする二部材の結合構造。
【請求項５】
前記調整ネジ部材の外周には、タッピング雄ネジ部が形成されていることを特徴とする請求項４に記載の二部材の結合構造。
【請求項６】
前記調整ネジ部材の前記先端と反対側端には、回転操作部材が係合する係合部が形成されていることを特徴とする請求項４または５に記載の二部材の結合構造。
【請求項７】
前記調整ネジ部材の前記先端は、周囲が面取り加工されていることを特徴とする請求項４から６のいずれか一項に記載の二部材の結合構造。
【請求項８】
前記調整ネジ部材は、複数備えられていることを特徴とする請求項４から７のいずれか一項に記載の二部材の結合構造。
【請求項９】
前記他方の部材は、前記固定ネジを前記雌ネジ部にネジ込んで前記一方の部材に固定されることを特徴とする請求項４から８のいずれか一項に記載の二部材の結合構造。
【請求項１０】
前記調整ネジ部材を前記タッピング雄ネジ部で前記一方の部材にネジ込むのに要する締付トルクは、前記固定ネジを前記雌ネジ部にネジ込むのに要する締付トルクより大きいことを特徴とする請求項５から９のいずれか一項に記載の二部材の結合構造。
【請求項１１】
光学レンズを有するレンズユニットと、撮像素子を囲むように配置されるセンサープレートの実装構造であって、
前記レンズユニットの前記光学レンズの周囲は、調整ネジ部材をネジ込むための組込孔を備え、前記調整ネジ部材が前記組込孔に組み込まれた状態において当該調整ネジ部材の先端が突出し、
前記センサープレートは、固定ネジを取り付けるための取付孔を備え、
前記調整ネジ部材の先端には、前記センサープレートの前記取付孔から前記固定ネジをネジ込むための雌ネジ部が形成されていることを特徴とするレンズユニットとセンサープレートの実装構造。
【請求項１２】
前記調整ネジ部材の外周には、タッピング雄ネジ部が形成されていることを特徴とする請求項１１に記載のレンズユニットとセンサープレートの実装構造。
【請求項１３】
前記調整ネジ部材の前記先端と反対側端には、回転操作部材が係合する係合部が形成されていることを特徴とする請求項１１または１２に記載のレンズユニットとセンサープレートの実装構造。
【請求項１４】
前記調整ネジ部材の前記先端は、周囲が面取り加工されていることを特徴とする請求項１１から１３のいずれか一項に記載のレンズユニットとセンサープレートの実装構造。
【請求項１５】
前記調整ネジ部材は、複数備えられていることを特徴とする請求項１１から１４のいずれか一項に記載のレンズユニットとセンサープレートの実装構造。
【請求項１６】
前記センサープレートは、前記固定ネジを前記雌ネジ部にネジ込んで前記レンズユニットに固定されることを特徴とする請求項１１から１５のいずれか一項に記載のレンズユニットとセンサープレートの実装構造。
【請求項１７】
前記調整ネジ部材を前記タッピング雄ネジ部で前記レンズユニットにネジ込むのに要する締付トルクは、前記固定ネジを前記雌ネジ部にネジ込むのに要する締付トルクより大きいことを特徴とする請求項１２から１６のいずれか一項に記載のレンズユニットとセンサープレートの実装構造。
【請求項１８】
請求項１１から１７のいずれか一項に記載のレンズユニットとセンサープレートの実装構造を備えることを特徴とする撮像装置。
【発明の詳細な説明】
【技術分野】
【０００１】
本発明は、調整ネジ部材、二部材の結合構造、レンズユニットとセンサープレートの実装構造と、そのレンズユニットとセンサープレートの実装構造を備える撮像装置に関する。
【背景技術】
【０００２】
二部材の結合構造の一例としては、例えば、デジタルカメラのセンサー（撮像素子）の撮像面がレンズの光軸に対して垂直になるように調整するため、レンズユニットに設けた、センサープレートをビス止めするボス部にシムを挿入して、撮像面の傾き（あおり）を調整する構造が知られている。
例えば、特許文献１には、回路基板をビス止めするボス部にスペーサを挿入して、あおり調整する構造が開示されている。
【先行技術文献】
【特許文献】
【０００３】
【特許文献１】特開２００９−１９４５４３号公報
【発明の概要】
【発明が解決しようとする課題】
【０００４】
しかし、シム調整や特許文献１のようなスペーサ調整では、あおり調整量がシムやスペーサの厚みによって左右されてしまい、二つの部材を結合した際の、一方の部材に対する他方の部材の傾き調整は段階的な調整しかできないという課題がある。
【０００５】
本発明の課題は、二つの部材を結合した際の、一方の部材に対する他方の部材の傾き調整を精度よく無段階で可能とすることである。
【課題を解決するための手段】
【０００６】
以上の課題を解決するため、本発明の調整ネジ部材は、
外周に形成される雄ネジ部と、
一端側に形成される雌ネジ部と、
他端側に形成され、回転操作部材が係合する係合部と、を備えることを特徴とする。
【０００７】
以上の課題を解決するため、本発明の二部材の結合構造は、
前記二部材の一方の部材は、調整ネジ部材をネジ込むための組込孔を備え、前記調整ネジ部材が前記組込孔に組み込まれた状態において当該調整ネジ部材の先端が突出し、
前記二部材の他方の部材は、固定ネジを取り付けるための取付孔を備え、
前記調整ネジ部材の先端には、前記二部材の他方の部材の前記取付孔から前記固定ネジをネジ込むための雌ネジ部が形成されていることを特徴とする。
【発明の効果】
【０００８】
本発明によれば、二つの部材を結合した際の、一方の部材に対する他方の部材の傾き調整を精度よく無段階で可能とすることができる。
【図面の簡単な説明】
【０００９】
【図１】本発明を適用した電子機器の一実施形態の構成を示すもので、撮像装置の分解斜視図である。
【図２】図１の調整ネジ部材の拡大図（ａ）、図１の矢印Ｂ方向から見た拡大図（ｂ）、その縦断面図（ｃ）である。
【図３】図１の調整ネジ部材を組み込んだ状態の縦断面図である。
【図４】図３の二部材組み付け状態の図である。
【図５】図４の二部材組み付け状態からあおり調整を示した図である。
【図６】図５の矢印Ａ方向から見た拡大断面を含む斜視図（ａ）と、図５の矢印Ｂ部の拡大図（ｂ）である。
【発明を実施するための形態】
【００１０】
以下、図を参照して本発明を実施するための形態を詳細に説明する。
また、以下においては、本願発明の調整ネジ部材を用いた二部材の結合の実施の一形態として、撮像装置が備えるレンズユニットとセンサープレートの結合を例にとって説明する。
（実施形態）
図１は本発明を適用した電子機器の一実施形態の構成として撮像装置を分解して示すもので、１はレンズユニット、２はセンサーアッシー、３はセンサー基板、４はセンサー（撮像素子）、５はセンサープレート、６はＵＶ硬化型接着剤、７は光学フィルター、８は防塵ラバー、９は固定ネジ、１１は調整ネジ部材である。
【００１１】
例えばデジタルカメラにおいて、図示のように、光学レンズ１ａを備えるレンズユニット１に対し、光学フィルター７及び防塵ラバー８を介在させて、センサーアッシー２の板金によるセンサープレート５がネジ止め固定される。
すなわち、レンズユニット１に対しセンサープレート５が、平行する二辺部において、１本の固定ネジ９と２本の固定ネジ９をセンサープレート５の取付孔５ａから、レンズユニット１に組み込まれる調整ネジ部材１１の雌ネジ部１１ａ（図２以降参照）に各々ネジ込んでそれぞれ固定される。
【００１２】
ここで、センサーアッシー２は、センサーである撮像素子４をセンサープレート５に対し、平行する二辺部において、ＵＶ（紫外線）硬化型接着剤６でそれぞれ固定したもので、撮像素子４はセンサー基板３に搭載さている。
【００１３】
そして、レンズユニット１の光学レンズ１ａの周囲に形成した組込孔１ｂに調整ネジ部材１１がネジ込んで備えられる。
図２（ａ）〜（ｃ）は調整ネジ部材１１部分を拡大したもので、図示のように、レンズユニット１の組込孔１ｂは、センサーアッシー２の取付面側が小径孔１ｃとなっている。
【００１４】
調整ネジ部材１１は、図示のように、雌ネジ部１１ａを有する一端側の外周が小径部１１ｂに形成され、他端側までの外周にタッピング雄ネジ部１１ｃが形成されている。小径部１１ｂは、レンズユニット１の組込孔１ｂの小径孔１ｃと略同径で、タッピング雄ネジ部１１ｃは組込孔１ｂより若干大径である。
そして、小径部１１ｂの端面側周囲に面取り加工した先細りテーパー状の傾斜面１１ｄが形成されている。
【００１５】
また、調整ネジ部材１１の雌ネジ部１１ａと反対側端面には、図示しない回転操作部材が係合する係合部１１ｅが形成されている。
図示例では、六角の星型形状のヘックスローブによる係合部１１ｅとなっているが、回転操作部材の種類に対応した形状の係合部１１ｅであればよい。
なお、雌ネジ部１１ａは他端まで貫通してもよい。
【００１６】
以上の調整ネジ部材１１は、図１、図２（ｂ）及び（ｃ）に示すように、レンズユニット１の組込孔１ｂにタッピング雄ネジ部１１ｃで組込孔１ｂ周囲の樹脂材をネジ切りしながらネジ込んで組み付けられる。
【００１７】
図３はレンズユニット１の組込孔１ｂに調整ネジ部材１１を組み込んだ状態を示すもので、図示のように、調整ネジ部材１１の小径部１１ｂが組込孔１ｂの小径孔１ｃを通って上方に若干突出している。
【００１８】
このように、レンズユニット１の組込孔１ｂにネジ込んで備えられる調整ネジ部材１１にセンサープレート５をネジ止めする。
すなわち、センサー基板３に形成された取付用開口３ａにおいて、固定ネジ９をセンサープレート５の取付孔５ａから調整ネジ部材１１の雌ネジ部１１ａにネジ込んで、レンズユニット１上にセンサープレート５を固定する。
【００１９】
ここで、以上のネジ止めによる平行する二辺部において、レンズユニット１上に一対のガイドピン１ｄが形成されて、センサープレート５に一対のガイド孔５ｄ（図１参照）が形成されている。
従って、レンズユニット１とセンサープレート５は、ネジ止めに先立って、そのネジ止め以外の平行する二辺部において、各々一組のガイドピン１ｄ及びガイド孔５ｄで、光学レンズ１ａのレンズ中心と撮像素子４の撮像中心とを一致させてそれぞれ位置決めされる。
なお、センサー基板３には、図示のように、位置決め用開口３ｂが形成されている。
【００２０】
図４は以上によるレンズユニット１とセンサーアッシー２の組み付け状態を示したものである。
【００２１】
次に、図５はあおり調整を示すもので、図６（ａ）及び（ｂ）はその要部を拡大して示すものである。
【００２２】
実施形態は、従来のビス止め用のボス部に代えて、調整ネジ部材１１としたことにより、従来のボス高さを無段階で調整可能としている。
また、調整ネジ部材１１の高さ調整をする場合は、固定ネジ９を一旦緩める必要はあるが、センサーアッシー２を外す必要はなく、調整ネジ部材１１端面から係合部１１ｅを専用ドライバーで必要量調節後、固定ビス９を再度締め付けることで、あおり調整作業は完了する。
【００２３】
ここで、ネジ締めのトルクは、
固定ネジ９の締付トルク＜調整ネジ部材１１の締付トルク
となるように、調整ネジ部材１１のタッピン部の下孔径を調整することにより、固定ネジ９を締付けの際にも、調整ネジ部材１１が回転することはない。
【００２４】
さらに、図示のように、調整ネジ部材１１の小径部１１ｂ先端に傾斜面１１ｄを付けることにより、センサープレート５が傾き易くなり、あおり調整の精度を高めることが可能となる。
【００２５】
以上により、デジタルカメラの撮像面のあおり調整時に確実な調整が可能となり、カメラの品質向上が可能となる。
【００２６】
以上、実施形態のカメラ、すなわち、レンズユニット１とセンサープレート５の実装構造によれば、レンズユニット１の光学レンズ１ａの周囲に、ネジ込まれて先端が突出する調整ネジ部材１１が備えられ、その調整ネジ部材１１は、センサープレート５の取付孔５ａから固定ネジ９をネジ込むための雌ネジ部１１ａを先端に有して、タッピング雄ネジ部１１ｃを外周に有しているので、撮像面のあおり調整を精度よく無段階で可能とすることができる。
【００２７】
（変形例）
以上の実施形態においては、カメラとしたが、本発明はこれに限定されるものではなく、カメラを備える携帯電話など他の電子機器であってもよい。
また、調整ネジ部材の係合部の形状等も任意であり、その他、具体的な細部構造等についても適宜に変更可能であることは勿論である。
【００２８】
（他の変形例）
前述したレンズユニット１とセンサープレート５の実装構造に代えて、任意の二部材を結合する構造にも適用可能である。
すなわち、図示しない二部材の一方の部材に調整ネジ部材１１を備えて、その調整ネジ部材１１の一方の部材から突出する先端の雌ネジ部１１ａに、二部材の他方の部材の取付孔から固定ネジ９をネジ込む構造でもよい。
【００２９】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
外周に形成される雄ネジ部と、
一端側に形成される雌ネジ部と、
他端側に形成され、回転操作部材が係合する係合部と、を備えることを特徴とする調整ネジ部材。
＜請求項２＞
前記雄ネジ部は、タッピングネジであることを特徴とする請求項１に記載の調整ネジ部材。
＜請求項３＞
前記雌ネジ部側の端部周囲が面取り加工されていることを特徴とする請求項１または２に記載の調整ネジ部材。
＜請求項４＞
二部材を結合する構造であって、
前記二部材の一方の部材は、調整ネジ部材をネジ込むための組込孔を備え、前記調整ネジ部材が前記組込孔に組み込まれた状態において当該調整ネジ部材の先端が突出し、
前記二部材の他方の部材は、固定ネジを取り付けるための取付孔を備え、
前記調整ネジ部材の先端には、前記二部材の他方の部材の前記取付孔から前記固定ネジをネジ込むための雌ネジ部が形成されていることを特徴とする二部材の結合構造。
＜請求項５＞
前記調整ネジ部材の外周には、タッピング雄ネジ部が形成されていることを特徴とする請求項４に記載の二部材の結合構造。
＜請求項６＞
前記調整ネジ部材の前記先端と反対側端には、回転操作部材が係合する係合部が形成されていることを特徴とする請求項４または５に記載の二部材の結合構造。
＜請求項７＞
前記調整ネジ部材の前記先端は、周囲が面取り加工されていることを特徴とする請求項４から６のいずれか一項に記載の二部材の結合構造。
＜請求項８＞
前記調整ネジ部材は、複数備えられていることを特徴とする請求項４から７のいずれか一項に記載の二部材の結合構造。
＜請求項９＞
前記他方の部材は、前記固定ネジを前記雌ネジ部にネジ込んで前記一方の部材に固定されることを特徴とする請求項４から８のいずれか一項に記載の二部材の結合構造。
＜請求項１０＞
前記調整ネジ部材を前記タッピング雄ネジ部で前記一方の部材にネジ込むのに要する締付トルクは、前記固定ネジを前記雌ネジ部にネジ込むのに要する締付トルクより大きいことを特徴とする請求項５から９のいずれか一項に記載の二部材の結合構造。
＜請求項１１＞
光学レンズを有するレンズユニットと、撮像素子を囲むように配置されるセンサープレートの実装構造であって、
前記レンズユニットの前記光学レンズの周囲は、調整ネジ部材をネジ込むための組込孔を備え、前記調整ネジ部材が前記組込孔に組み込まれた状態において当該調整ネジ部材の先端が突出し、
前記センサープレートは、固定ネジを取り付けるための取付孔を備え、
前記調整ネジ部材の先端には、前記センサープレートの前記取付孔から前記固定ネジをネジ込むための雌ネジ部が形成されていることを特徴とするレンズユニットとセンサープレートの実装構造。
＜請求項１２＞
前記調整ネジ部材の外周には、タッピング雄ネジ部が形成されていることを特徴とする請求項１１に記載のレンズユニットとセンサープレートの実装構造。
＜請求項１３＞
前記調整ネジ部材の前記先端と反対側端には、回転操作部材が係合する係合部が形成されていることを特徴とする請求項１１または１２に記載のレンズユニットとセンサープレートの実装構造。
＜請求項１４＞
前記調整ネジ部材の前記先端は、周囲が面取り加工されていることを特徴とする請求項１１から１３のいずれか一項に記載のレンズユニットとセンサープレートの実装構造。
＜請求項１５＞
前記調整ネジ部材は、複数備えられていることを特徴とする請求項１１から１４のいずれか一項に記載のレンズユニットとセンサープレートの実装構造。
＜請求項１６＞
前記センサープレートは、前記固定ネジを前記雌ネジ部にネジ込んで前記レンズユニットに固定されることを特徴とする請求項１１から１５のいずれか一項に記載のレンズユニットとセンサープレートの実装構造。
＜請求項１７＞
前記調整ネジ部材を前記タッピング雄ネジ部で前記レンズユニットにネジ込むのに要する締付トルクは、前記固定ネジを前記雌ネジ部にネジ込むのに要する締付トルクより大きいことを特徴とする請求項１２から１６のいずれか一項に記載のレンズユニットとセンサープレートの実装構造。
＜請求項１８＞
請求項１１から１７のいずれか一項に記載のレンズユニットとセンサープレートの実装構造を備えることを特徴とする撮像装置。
【符号の説明】
【００３０】
１  レンズユニット
１ａ  光学レンズ
１ｂ  組込孔
１ｃ  小径孔
１ｄ  ガイドピン
２  センサーアッシー
３  センサー基板
３ａ  取付用開口
３ｂ  位置決め用開口
４  センサー（撮像素子）
５  センサープレート
５ａ  取付孔
５ｄ  ガイド孔
６  ＵＶ硬化型接着剤
７  光学フィルター
８  防塵ラバー
９  固定ネジ
１１  調整ネジ部材
１１ａ  雌ネジ部
１１ｂ  小径部
１１ｃ  タッピング雄ネジ部
１１ｄ  傾斜面
１１ｅ  係合部
【図１】
2017044936.tif 000003
【図２】
2017044936.tif 000004
【図３】
2017044936.tif 000005
【図４】
2017044936.tif 000006
【図５】
2017044936.tif 000007
【図６】
2017044936.tif 000008